(57)【要約】      （修正有）【課題】ユーザが飽きないようにインターネットラジオ局を選択できるデータ処理方法を提供する。【解決手段】インターネットラジオ局の選択におけるデータ処理方法であって、ラジオ局を再生した時間を計測し、所定期間内に所定時間以上再生したか否かを判別してラジオ局に関する局情報として記憶し、所定期間内に所定時間以上再生したラジオ局以外のラジオ局から無作為に選択する。又は、これまでに再生したラジオ局のメタデータを記憶しておき、記憶したメタデータに該当するラジオ局を選択する。【選択図】図１
2010258926.tif 000002
【特許請求の範囲】
【請求項１】
インターネットラジオ局の選択におけるデータ処理方法であって、
ラジオ局を再生した時間を計測し、所定期間内に所定時間以上再生したか否かを判別してラジオ局に関する局情報として記憶する、ことを特徴とするデータ処理方法。
【請求項２】
所定期間内に所定時間以上再生したラジオ局以外のラジオ局の中から無作為に選択する、ことを特徴とする請求項１に記載のデータ処理方法。
【請求項３】
これまでに再生したラジオ局のメタデータを記憶しておき、記憶したメタデータに該当するラジオ局を無作為に選択する、ことを特徴とする請求項２に記載のデータ処理方法。
【発明の詳細な説明】
【技術分野】
【０００１】
本発明は、インターネットラジオ局の選択におけるデータ処理方法に関する。
【背景技術】
【０００２】
サーバからインターネットを通して聴取者がデータコンテンツをストリーミング受信できるインターネットラジオが知られている。インターネットラジオを配信するラジオ局は、放送信号を発信する一般的な放送信号の放送局とは異なり、実質は、コンテンツソースの配信サーバである。放送局にとっての周波数帯が、インターネットラジオ局のサーバのＩＰ（インターネットプロトコル）アドレスであり、「チャンネル」に該当する。
【０００３】
サーバに接続するクライアント（パーソナルコンピュータ等）には、例えば、音楽／映像再生アプリケーションが搭載され、「チャンネル合わせ」に該当する、ラジオ局（サーバ）へのアクセス、ストリーミングデータの受信を行う。一般的な音楽／映像再生アプリケーションは、複数のインターネットラジオ局のチャンネルを予め記憶し、ユーザが好みの局を選択再生できる。さらに、ユーザの過去及び現在の行動の分析から学習して、ユーザの好みの仮想ラジオ局を創出できるものが考えられている。
【先行技術文献】
【特許文献】
【０００４】
【特許文献１】特開２００６−２１７６１１号公報
【発明の概要】
【発明が解決しようとする課題】
【０００５】
しかし、上記仮想ラジオ局では、ユーザの行動の分析からの学習によって局が選択されるため、選択に偏りが出て、同じような局しか選択されない。一般的なラジオ局では、一定期間（例えば数週間）同じプレイリストに従ってコンテンツデータが配信されるため、同じ局ばかり選択されるとユーザは飽きてしまう。
上記事情を鑑みて、本発明は、ユーザが飽きないようにインターネットラジオ局を選択できるデータ処理方法を提供することを目的とする。
【課題を解決するための手段】
【０００６】
上記課題を解決するため、本発明に係るデータ処理方法は、
インターネットラジオ局の選択におけるデータ処理方法であって、
ラジオ局を再生した時間を計測し、所定期間内に所定時間以上再生したか否かを判別してラジオ局に関する局情報として記憶する。
【０００７】
上記方法において、所定期間内に所定時間以上再生したラジオ局以外のラジオ局の中から無作為に選択するようにしてもよい。
さらに、これまでに再生したラジオ局のメタデータを記憶しておき、記憶したメタデータに該当するラジオ局を無作為に選択するようにしてもよい。
【発明の効果】
【０００８】
本発明によれば、ユーザが飽きないようにインターネットラジオ局を選択できるデータ処理方法が提供される。
【図面の簡単な説明】
【０００９】
【図１】図１は、本発明の実施の形態に係るデータ処理装置の構成を示す図である。
【図２】図２は、局情報記憶部に記憶される局情報の例を示す図である。
【発明を実施するための形態】
【００１０】
本発明に係る実施の形態について、以下、図面を参照して詳細に説明する。本実施の形態に係るデータ処理方法は、パーソナルコンピュータ等のクライアントに搭載されるアプリケーションの一機能を構成する。なお、以下に示す実施の形態は一例であり、これに限定されない。
【００１１】
図１に、本実施の形態に係るデータ処理装置のブロック図を示す。本実施の形態に係るデータ処理装置１０は、送受信部１２と、局情報記憶部１４と、ユーザインタフェース部１６と、制御部１８と、を備える。
【００１２】
送受信部１２は、インターネットやイントラネット等のネットワーク２０を介して、インターネットラジオサービスを提供するサーバ３０にアクセスする。送受信部１２は、サーバ３０からコンテンツデータを受信するとともに、サーバ３０にストリームを制御する制御信号を送信する。なお、以下において、インターネットサービスを提供するサーバ３０は「ラジオ局」と同義で用いるものとする。
【００１３】
サーバ３０は、プレイリストの形式にまとめられた複数のコンテンツを有する。コンテンツは、例えば、オーディオファイル、ビデオファイルである。サーバ３０は、その時点で供給するコンテンツを周期的に連続して変更する。コンテンツは、それぞれデータストリームの形式で送出される主データと、主データに対応してこれを特徴づけるメタデータとから構成される。主データは例えばオーディオデータであり、メタデータは当該オーディオデータに関する情報（ジャンル、アーティスト名、タイトル等）である。
【００１４】
局情報記憶部１４には、インターネットラジオサービスを提供する複数のサーバ（ラジオ局）３０のＩＰアドレスが、その属性情報（名称、ジャンル等）とともに記憶される。送受信部１２は、局情報記憶部１４に記憶されたラジオ局のＩＰアドレスに基づいて、ラジオ局との間のアクセスを確立し、主データ及びメタデータを取得する。なお、局情報記憶部１４に記憶されるラジオ局は、音楽／映像アプリケーションにおいて予め定められていてもよく、或いは、所定のサーバから自動又は手動でダウンロードされてもよい。
【００１５】
局情報に記憶されるラジオ局の属性情報には、一定期間内に一定時間以上再生されたか否かのフラグが含まれる。所定のしきい値（例えば、１週間に５分）を超えた時間再生されたラジオ局には、フラグが立てられる。このフラグは、一定期間毎に初期化されるようにしても良い。
【００１６】
局情報記憶部１４に記憶される局情報の一例を図２に示す。図２に示す例では、局情報として、名称毎に、ＩＰアドレス／ＵＲＬ（Uniform Resource Locator）、ジャンル、一定時間以上再生されたか否かの情報（フラグ）が記憶される。
【００１７】
ユーザインタフェース部１６は、ユーザからの操作指示入力、例えば、選局操作、再生操作等を受け付け、また、ユーザに必要情報を提供する。ユーザインタフェース部１６は、例えば、クライアントの入出力装置（マウス、キーボード、ディスプレイ、スピーカ等）を含んで構成され、例えば、グラフィカルユーザインタフェース（ＧＵＩ）を介してユーザからの指示入力及びユーザへの情報提供を行う。
送受信部１２が受信した主データは、デコード、増幅等の処理を行う図示しない映像／音声処理回路によって処理され、ディスプレイ、スピーカに出力される。
【００１８】
ユーザインタフェース部１６は、例えば、局情報記憶部１４に記憶されたラジオ局のリストをＧＵＩ画像としてディスプレイに表示する。ユーザは、ディスプレイの表示から、マウス等を用いて所望のラジオ局を選択することができる。本実施例において、リストされるラジオ局の表示には、一定時間以上再生されたか否かを示す情報が含まれる。
或いは、ＧＵＩ画像に検索欄が設けられ、ユーザは、所望のジャンル等のキーワードを入力して、属性情報が該当するワードが含まれるラジオ局を検索することができるようにしても良い。
【００１９】
制御部１８は、データ処理装置１０の動作を統括的に制御する。本実施例において、制御部１８は、例えばソフトウェアタイマを備え、一定期間内におけるラジオ局の再生時間（アクセス時間）を計測し、局情報記憶部１４に局情報の属性情報として記録する。
【００２０】
以下、本実施の形態における、ユーザがインターネットラジオ局を選局する際のデータ処理動作について詳細に説明する。
【００２１】
まず、ユーザは、クライアントに搭載された音楽／映像アプリケーションを起動する。起動後、クライアントに接続されたディスプレイには、選択可能なインターネットラジオ局のリストのＧＵＩ画像が表示される。ラジオ局は、例えば、名称で表示され、ジャンル毎に分類して表示される。
【００２２】
このとき、制御部１８は、局情報記憶部１４に記憶された局情報に基づいてＧＵＩ画像を生成するが、一定期間内に一定時間以上再生されたことを示すフラグが付されたラジオ局については、そのことがわかるように表示する。例えば、一定期間内に一定時間以上再生されたことを示すラジオ局は、星印等の符号とともに表示される。
【００２３】
ユーザは、このような表示を見ることにより、自分が一定期間内に一定時間アクセスしていたラジオ局であることを知ることができる。すなわち、ユーザは、このような表示の付されたラジオ局を、いつもアクセスしているラジオ局として選択することができる。一方で、例えば、いつもとは違うラジオ局にアクセスしたいと望むときには、上記表示のないラジオ局を選ぶことができる。
【００２４】
上述したように、ラジオ局は、一定期間同一のプレイリストに基づいて連続してコンテンツデータを配信している。このため、同じラジオ局に短期間にアクセスすると同じプレイリストのコンテンツデータを受信することとなり、既に一通り聴取、視聴してしまった場合には、ユーザは飽きてしまう事がある。このため、ユーザには、一定期間内に一定時間以上アクセスしたラジオ局以外のラジオ局にアクセスしたい場合がある。本実施の形態では、このようなユーザの要望を満たすことができる。
【００２５】
本発明は、上記実施の形態に限定されることなく、種々の変更、修正が可能である。
例えば、上記実施の形態において、例えば「ランダム再生ボタン」をＧＵＩとして設け、当該ボタンが操作された場合には、一定期間内に一定時間以上再生されていないラジオ局の中から自動的に無作為で１つを選択するようにしても良い。これにより、ユーザは、例えば何でもいいからいつもと異なるラジオ局を聴取、視聴したい場合に、より簡単にラジオ局を選択することができる。
【００２６】
さらに、これまで再生したコンテンツファイルのメタデータを記憶しておき、関連するメタデータが重複するラジオ局の中から無作為に選択するようにしても良い。例えば、これまでジャンルがジャズのラジオ局を聞いていた場合には、メタデータとしてジャズジャンルが記憶されており、選択対象のうちジャンルがジャズに該当するものから無作為に選択するようにしても良い。これにより、よりユーザの好みにあったラジオ局がランダム再生することが可能となる。
【産業上の利用可能性】
【００２７】
本発明は、インターネットラジオ局を再生可能なアプリケーション、装置等に用いて有用である。
【符号の説明】
【００２８】
１０    データ処理装置
１２    送受信部
１４    局情報記憶部
１６    ユーザインタフェース部
１８    制御部
２０    ネットワーク
３０    サーバ（放送局）
【図１】
2010258926.tif 000003
【図２】
2010258926.tif 000004